(57)【要約】  本発明は、縫合糸操作デバイスに関する。縫合糸操作デバイスは、本体(302)とスネア(312)とを含む。スネアは、本体に動作可能に接続され、本体から延伸するように、かつ本体から延伸した後に本体とは独立して回転するように適合される。スネアは、回転しながら、組織を貫通した縫合糸(310)の一部分を捕捉し、縫合糸の一部分を固定するようにさらに適合される。
2014512873.tif 000002
【特許請求の範囲】
【請求項１】
本体と、
前記本体に動作可能に接続されたスネアとを備え、
前記スネアが、
前記本体から延伸し、
前記本体から延伸した後に前記本体とは独立して回転し、
回転しながら、組織を貫通した縫合糸の一部分を捕捉し、
前記縫合糸の前記一部分を固定する
ように適合された、
縫合糸操作デバイス。
【請求項２】
前記本体が、ある長さを有し、
前記本体の内部に位置し、前記本体の前記長さに沿って近位側へと続く軸と、
前記本体の遠位端にある針とを備え、
前記針が、
前記縫合糸の前記一部分を固定し、
前記組織を穿孔し、
前記組織を穿孔した後、前記縫合糸の前記一部分を解放するように適合された、
請求項1に記載の縫合糸操作デバイス
【請求項３】
前記針が曲線状である、請求項2に記載の縫合糸操作デバイス。
【請求項４】
前記縫合糸の前記一部分が前記スネアによって捕捉される前に、前記針が前記縫合糸の前記一部分を解放する、請求項2に記載の縫合糸操作デバイス。
【請求項５】
遠位端及び近位端を有するプッシュロッドをさらに備え、
前記プッシュロッドが、前記本体の前記軸内で独立して摺動し回転するように適合され、
前記プッシュロッドの前記遠位端が前記スネアに動作可能に接続される、
請求項1に記載の縫合糸操作デバイス。
【請求項６】
前記プッシュロッドが、前記スネアによって前記縫合糸の前記一部分を固定するために近位側へと後退される、請求項5に記載の縫合糸操作デバイス。
【請求項７】
前記プッシュロッドを近位側に後退しながら、前記スネアの張力を測定し、
前記張力が張力閾値を超えていることを判断し、
前記縫合糸の前記一部分が安定していることを使用者に通知する
ように適合されたセンサをさらに備える、請求項6に記載の縫合糸操作デバイス。
【請求項８】
前記本体の近位端にある制御部を使用して、前記プッシュロッドが前記軸内で摺動する、請求項5に記載の縫合糸操作デバイス。
【請求項９】
前記制御部が、
前記スネアを前記本体から伸長し、
前記スネアを回転させて前記縫合糸の前記一部分を捕捉し、
前記スネアを後退させる
ように適合された、前記本体の近位端に位置する作動ボタンを備える、請求項5に記載の縫合糸操作デバイス。
【請求項１０】
前記針が、前記縫合糸の前記一部分を通すのに十分に大きいキャビティを形成する角度付きスロットを備える、請求項2に記載の縫合糸操作デバイス。
【請求項１１】
前記プッシュロッドが、前記制御部を使用して前記遠位端に向かって十分に押されると、前記針の前記角度付きスロット内にある前記縫合糸の一部分を押圧して、前記針が前記組織を穿通している間前記縫合糸の一部分を適所で保持する、請求項10に記載の縫合糸操作デバイス。
【請求項１２】
前記プッシュロッドが、前記制御部を使用して前記近位端に向かって後退されると、前記針が前記組織を穿通している間、前記スネアを使用して前記縫合糸の前記一部分を適所で保持する、請求項10に記載の縫合糸操作デバイス。
【請求項１３】
前記スネアが閉ループを形成する可撓性材料を含む、請求項1に記載の縫合糸操作デバイス。
【請求項１４】
前記スネアが、厚さを有するとともに遠位側がフックとして形作られたワイヤを含み、前記ワイヤが、直径と、前記フックの近位側にある屈曲とを備える、請求項1に記載の縫合糸操作デバイス。
【請求項１５】
前記本体の遠位側に位置するスロットであって、前記フックが前記スロットに対して特定の向きを有するときに前記フックを受け入れるように適合されたスロットをさらに備え、
前記フックが、前記縫合糸の前記一部分を固定するときに前記スロット内へと実質的に後退される、
請求項14に記載の縫合糸操作デバイス。
【請求項１６】
前記スロットが前記針の遠位端に位置する、請求項15に記載の縫合糸操作デバイス。
【請求項１７】
前記スロットが前記本体の前記長さに沿って位置する、請求項15に記載の縫合糸操作デバイス。
【請求項１８】
受入れ端部を備えたスネアを備え、前記受入れ端部が、
組織の支持を提供し、
前記組織及び前記受入れ端部を貫通した縫合糸の一部分を捕捉し、
前記組織の前記支持を解除し、
前記組織の前記支持を解除する間、前記受入れ端部を使用して前記縫合糸の前記一部分を固定し、
前記受入れ端部を使用して、前記縫合糸の前記一部分を除去する
ように適合された、
縫合糸操作デバイス。
【請求項１９】
前記スネアに動作可能に接続された針をさらに備え、前記針が、
前記縫合糸の前記一部分を固定し、
前記スネアの前記受入れ端部によって前記組織が支持されている間、前記組織を穿孔し、
前記組織及び前記スネアの前記受入れ端部に前記縫合糸の前記一部分を貫通させ、
前記縫合糸の前記一部分を解放し、
前記組織を通して後退させる
ように適合された、
請求項18に記載の縫合糸操作デバイス。
【請求項２０】
前記針が前記スネアとは独立して移動する、請求項18に記載の縫合糸操作デバイス。
【請求項２１】
前記スネアが、半円形のループによって接続された2つの平行なロッドを備え、前記縫合糸操作デバイスの本体に対して少なくとも90°の角度で屈曲され、前記本体が前記スネアに動作可能に接続される、請求項18に記載の縫合糸操作デバイス。
【請求項２２】
前記針が、前記スネアの前記半円形のループと前記2つの平行なロッドとの間で近接して通るようにさらに適合された、請求項21に記載の縫合糸操作デバイス。
【発明の詳細な説明】
【技術分野】
【０００１】
関連出願の相互参照
本出願は、米国特許出願第13/027,003号の優先権を主張するPCT国際特許出願であり、その開示の全体が本明細書に組み込まれている。
【背景技術】
【０００２】
外科用途では、縫合糸を、創傷又は術創に近い組織に貫通させる。縫合糸は、ある期間の間、1つ又は複数の組織を保持する。作業を行う空間が制約され、また場合によっては柔軟性を欠くため、外科医及び他の医療従事者は、縫合糸を創傷にあてがうために特殊な器具を使用しなければならない。具体的には、縫合糸を解放及び/又は縫合糸を回収するために組織を穿刺してステッチを完成させるなど、縫合糸操作には特殊な器具が必要である。
【先行技術文献】
【特許文献】
【０００３】
【特許文献１】米国特許出願第13/027,003号
【発明の概要】
【課題を解決するための手段】
【０００４】
概して、1つの態様では、本発明は縫合糸操作デバイスに関する。縫合糸操作デバイスは、本体及びスネアを含む。スネアは、本体に動作可能に接続され、(1)本体から延伸し、(2)本体から延伸した後に本体とは独立して回転し、(3)回転しながら、組織を貫通した縫合糸の一部分を捕捉し、(4)その縫合糸の一部分を固定するように適合されている。
【０００５】
概して、1つの態様では、本発明は縫合糸操作デバイスに関する。縫合糸操作デバイスは、(1)組織の支持を提供し、(2)組織及び受入れ端部を貫通した縫合糸の一部分を捕捉し、(3)組織の支持を解除し、(4)組織の支持を解除しながら、受入れ端部を使用して縫合糸の一部分を固定し、(5)受入れ端部を使用して縫合糸の一部分を除去するように適合された、受入れ端部を備えたスネアを含む。
【０００６】
概して、1つの態様では、本発明は縫合糸を操作する方法に関する。方法は、(1)縫合糸操作デバイスの本体からスネアを延伸し、(2)縫合糸操作デバイスの本体とは独立してスネアを回転させ、(3)スネアを回転させながらスネアを用いて縫合糸の一部分を捕捉し、かつ(4)その縫合糸の一部分を固定することを伴う。
【０００７】
概して、1つの態様では、本発明は縫合糸を操作する方法に関する。方法は、(1)縫合糸操作デバイスのスネアを使用して組織の支持を提供し、(2)縫合糸の一部分が組織を貫通し、針によって解放されるときに、スネアを使用して、スネアを移動させることなくその縫合糸の一部分を捕捉し、(3)組織に対する支持を解除しながら、スネアを用いてその縫合糸の一部分を固定し、(4)その縫合糸の一部分と共にスネアを組織から除去することを伴う。
【０００８】
本発明の他の態様は、以下の説明及び添付の請求項から明白になるであろう。
【図面の簡単な説明】
【０００９】
【図１Ａ】縫合糸を除去するように適合された、当技術分野において知られている縫合器具を示す図である。
【図１Ｂ】縫合糸を除去するように適合された、当技術分野において知られている縫合器具を示す図である。
【図２Ａ】本発明の1つ又は複数の実施形態による方法のフローチャートである。
【図２Ｂ】本発明の1つ又は複数の実施形態による方法のフローチャートである。
【図３Ａ】本発明の1つ又は複数の実施形態による、縫合糸回収能力を備えた縫合器具を示す図である。
【図３Ｂ】本発明の1つ又は複数の実施形態による、縫合糸回収能力を備えた縫合器具を示す図である。
【図３Ｃ】本発明の1つ又は複数の実施形態による、縫合糸回収能力を備えた縫合器具を示す図である。
【図３Ｄ】本発明の1つ又は複数の実施形態による、縫合糸回収能力を備えた縫合器具を示す図である。
【図４Ａ】本発明の1つ又は複数の実施形態によるスネアの回転を示す図である。
【図４Ｂ】本発明の1つ又は複数の実施形態によるスネアの回転を示す図である。
【図４Ｃ】本発明の1つ又は複数の実施形態によるスネアの回転を示す図である。
【図４Ｄ】本発明の1つ又は複数の実施形態によるスネアの回転を示す図である。
【図５】本発明の1つ又は複数の実施形態によるスネアの後退を示す図である。
【図６Ａ】本発明の1つ又は複数の実施形態によるスネアの回転を示す図である。
【図６Ｂ】本発明の1つ又は複数の実施形態によるスネアの回転を示す図である。
【図６Ｃ】本発明の1つ又は複数の実施形態によるスネアの回転を示す図である。
【図６Ｄ】本発明の1つ又は複数の実施形態によるスネアの回転を示す図である。
【図７Ａ】本発明の1つ又は複数の実施形態によるスネアの後退を示す図である。
【図７Ｂ】本発明の1つ又は複数の実施形態によるスネアの後退を示す図である。
【図７Ｃ】本発明の1つ又は複数の実施形態によるスネアの後退を示す図である。
【図７Ｄ】本発明の1つ又は複数の実施形態によるスネアの後退を示す図である。
【図８】本発明の1つ又は複数の実施形態による、縫合糸回収能力を備えた縫合器具の一例を示す図である。
【図９Ａ】本発明の1つ又は複数の実施形態による縫合糸の回収の一例を示す図である。
【図９Ｂ】本発明の1つ又は複数の実施形態による縫合糸の回収の一例を示す図である。
【図９Ｃ】本発明の1つ又は複数の実施形態による縫合糸の回収の一例を示す図である。
【図９Ｄ】本発明の1つ又は複数の実施形態による縫合糸の回収の一例を示す図である。
【図９Ｅ】本発明の1つ又は複数の実施形態による縫合糸の回収の一例を示す図である。
【図９Ｆ】本発明の1つ又は複数の実施形態による縫合糸の回収の一例を示す図である。
【図９Ｇ】本発明の1つ又は複数の実施形態による縫合糸の回収の一例を示す図である。
【図１０Ａ】本発明の1つ又は複数の実施形態による縫合糸の回収の一例を示す図である。
【図１０Ｂ】本発明の1つ又は複数の実施形態による縫合糸の回収の一例を示す図である。
【図１１Ａ】本発明の1つ又は複数の実施形態による縫合糸の回収の一例を示す図である。
【図１１Ｂ】本発明の1つ又は複数の実施形態による縫合糸の回収の一例を示す図である。
【図１１Ｃ】本発明の1つ又は複数の実施形態による縫合糸の回収の一例を示す図である。
【図１１Ｄ】本発明の1つ又は複数の実施形態による縫合糸の回収の一例を示す図である。
【図１１Ｅ】本発明の1つ又は複数の実施形態による縫合糸の回収の一例を示す図である。
【図１１Ｆ】本発明の1つ又は複数の実施形態による縫合糸の回収の一例を示す図である。
【図１１Ｇ】本発明の1つ又は複数の実施形態による縫合糸の回収の一例を示す図である。
【図１１Ｈ】本発明の1つ又は複数の実施形態による縫合糸の回収の一例を示す図である。
【図１２Ａ】本発明の1つ又は複数の実施形態による縫合糸の回収の一例を示す図である。
【図１２Ｂ】本発明の1つ又は複数の実施形態による縫合糸の回収の一例を示す図である。
【図１２Ｃ】本発明の1つ又は複数の実施形態による縫合糸の回収の一例を示す図である。
【図１２Ｄ】本発明の1つ又は複数の実施形態による縫合糸の回収の一例を示す図である。
【発明を実施するための形態】
【００１０】
以下、本発明の特定の実施形態について、添付図面を参照して詳細に記載する。一貫性を保つため、様々な図面における同様の要素は同様の参照番号によって表す。
【００１１】
本発明の実施形態についての以下の詳細な説明では、本発明のより完全な理解のため、いくつかの具体的な詳細を記述する。しかし、本発明はこれらの具体的な詳細を伴わずに実施され得ることが、当業者には明白となるであろう。他の例では、不必要に説明が複雑になることを回避するため、よく知られている特徴については詳細に記載していない。
【００１２】
概して、本発明の実施形態は、縫合糸操作のための方法及びデバイスについて記載する。具体的には、本発明の1つ又は複数の実施形態は、縫合糸操作デバイスの本体からスネアを延伸する。一旦延伸されると、スネアは、縫合糸操作デバイスの本体とは独立して回転して、縫合糸の一部分を捕捉する。次に、スネアは縫合糸の一部分を固定する。本発明の1つ又は複数の実施形態では、縫合糸操作デバイスの本体のキャビティに位置するプッシュロッドを使用してスネアを制御する。プッシュロッドが後退されるとき、スネアも後退され得る。プッシュロッドもまた、縫合糸操作デバイスの本体とは独立して回転してもよい。例えば、プッシュロッドによって制御されてもされなくても、例えば縫合糸を捕捉する際、スネアが回転するときに縫合糸操作デバイス自体は回転しなくてもよい。本明細書で使用するとき、縫合糸は縫合用の糸を指してもよい。
【００１３】
本発明の1つ又は複数の実施形態では、縫合糸の操作は、縫合糸を組織に押し通し、縫合糸を移動させ、縫合糸を落とし(すなわち、縫合糸を少なくとも部分的に針から解放し)、縫合糸を回収し、縫合糸を抜出し、かつ/又は別の方法で縫合糸を移動させることを含み得る。本明細書で使用するとき、縫合糸操作デバイスは、縫合糸プッシャ、縫合糸シャトル、縫合糸回収器、及び/又は縫合糸を操作する他の任意の適切なデバイスであってもよい。換言すれば、縫合糸操作デバイスは、縫合糸及び/又はシャトルを操作するように構成され得る。本明細書で使用するとき、縫合糸は、恒久的なもの(すなわち、ステッチを作成するのに使用される)であるか、又は一時的なもの(例えば、ステッチを作成するのに使用される恒久的な縫合糸にシャトルの端部が結び付けられた、組織に押し通されるシャトル)であってもよい。
【００１４】
本発明の実施形態は、1つ又は複数のステッチを作成するのを支援するように設計されている。ステッチは、縫合糸を使用して、ある期間にわたって1つ又は複数の物質を適所で保持する。ステッチは、縫合糸が組織に挿入され、組織に押し通される(すなわち、貫通させる)と作成される。組織は、上皮組織及び他の層状被覆組織(例えば、皮膚の外層と、肝臓などの内臓を取り囲む組織)、結合組織(例えば、皮膚の内層、腱、靭帯、軟骨、骨、脂肪)、筋肉組織、ならびに神経組織を含んでもよいが、それらに限定されない。縫合糸は、外科的処置及び他の類似の処置に使用される任意の縫合糸であってもよい。例えば、縫合糸は、#11/0米国薬局方(USP)〜#7USPのサイズ範囲であってもよい。さらに、縫合糸は、絹、腸線、ポリグリコール酸、ポリ乳酸、ポリジオキサノン、ナイロン、及びポリプロピレンを含むがそれらに限定されない、いくつかの材料から作られてもよい。本発明の実施形態は、身体(例えば、ヒト、動物)の内部、及び/又は体外(外傷のように)の縫合を操作する(例えば、押す、捕捉する、固定する、抜出する)のに使用され得る。
【００１５】
本明細書で使用するとき、遠位という用語は最遠位点を意味する。また、近位という用語は最近接点を意味する。本明細書において遠位及び近位を説明する視点は、1つ又は複数の構成要素を有する器具の操作者である。具体的には、本発明の実施形態は、組織の創傷又は他の開口部を縫うために外科用途に使用されるデバイス(例えば、縫合糸回収器、縫合糸シャトル)について記載する。遠位端は、組織に最も近い(すなわち、デバイスの使用者から最も遠くに離れた)デバイス(又はデバイスの構成要素)の端部を表す。同様に、近位端は、デバイスの使用者に最も近い(すなわち、組織から最も遠くに離れた)デバイス(又はデバイスの構成要素)の端部を表す。また、本明細書で使用するとき、使用者は、外科医、看護師、技術者、又は獣医を含むがそれらに限定されない、組織にステッチを作成する任意の者であってもよい。
【００１６】
図1A及び図1Bは、当技術分野で知られている縫合糸操作デバイス(例えば、縫合糸回収器)を示す。図1Aに示されるように、縫合操作器具は、軸(102)と、尖端部(104)と、軸(102)の一部分とクランプアーム(106)の下側との間にギャップ(108)を作り出すクランプアーム(106)とを含む。クランプアーム(106)が閉位置にあるとき、クランプアーム(106)の端部は軸(102)の切欠き(110)に接して連結され得る。図1Aに示されるクランプアーム(106)は閉位置にあり、その位置は、縫合糸を操作するための領域に縫合糸操作デバイスを挿入するときに使用され得る。軸(102)、尖端部(104)(例えば、針)、及びクランプアーム(106)が作られる材料は、同じ材料又は1つもしくは複数の異なる材料であってもよい。縫合糸操作デバイスは、繰り返し使用するために、又は一時的に(例えば、一回限り)使用するために作られてもよい。
【００１７】
図1Bは、クランプアーム(126)が開位置にある、図1Aの縫合糸操作デバイスを示す。具体的には、クランプアーム(126)は縫合糸を固定するための開位置にある。クランプアーム(126)は、ラッチの解放、蝶番に対する圧力の印加、又は他の何らかの適切な機構を含む、いくつかの方法のうちの1つで開放され得る。クランプアームを開放するのに使用される機構は、本体(122)及び切欠き(130)に対するクランプアーム(126)の蝶番を含むが、それに限定されない、1つ又は複数の位置に位置してもよい。クランプアーム(126)が開放されているとき、切欠き(130)と組み合わせたギャップ(128)を使用して縫合糸を捕らえてもよい。
【００１８】
縫合糸操作デバイスは、図1A及び図1Bに関して上述したように、縫合糸及び/又は縫合糸シャトルを操作する(例えば、渡す、落とす、回収する)ように構成され得る。当技術分野で知られている縫合糸操作デバイスの一例としては、ACCU-PASS(登録商標)縫合糸シャトルが挙げられるが、それに限定されない(ACCU-PASS(登録商標)は、テネシー州メンフィス(Memphis, Tennessee)のスミス  アンド  ネフュー社(Smith & Nephew, Inc.)の登録商標である)。
【００１９】
図2A及び図2Bはそれぞれ、本発明の1つ又は複数の実施形態による、縫合糸を操作する方法のフローチャートを示す。これらのフローチャートの様々なステップは連続して示され記載されるが、ステップの一部もしくは全ては、異なる順序で実行されてもよく、組み合わされるか又は省略されてもよく、ステップの一部もしくは全てが並行して実行され得る。さらに、本発明の実施形態の1つ又は複数では、後述するステップの1つもしくは複数が、省略、反復、及び/又は異なる順序で実施され得る。それに加えて、図2A及び図2Bでは省略されている追加のステップが、これらの方法を実施する際に含まれてもよい。したがって、図2A及び図2Bに示されるステップの特定の配置は、本発明の範囲を限定するものとして解釈されるべきではない。
【００２０】
図2Aを参照すると、本発明の1つ又は複数の実施形態による、縫合糸を操作するための1つの方法が記載されている。ステップ202で、針を使用して縫合糸を組織に貫通させる。針は、縫合糸回収能力を有さない縫合糸操作デバイス、又は縫合糸回収能力を備えた縫合糸操作デバイスの一部であってもよい。縫合糸操作デバイスは、縫合糸操作デバイスが縫合糸と共に組織を越えて押されるにつれて、組織を穿刺(すなわち、穿孔)し縫合糸を固定することができる、任意のデバイスであってもよい。縫合糸操作デバイスは、遠位端に穿通構成要素(すなわち、針)を含んでもよい。縫合糸操作デバイスの針は、直線状又は曲線状であってもよい。針の断面は、円形、楕円形、又は他の任意の適切な形状であってもよい。針は、1mm程度(もしくはそれ未満)の小さい、或いは2.5mm程度(もしくはそれ以上)の大きい直径(又は主軸長さ)を有してもよい。針のサイズは、縫合糸のサイズ(例えば、直径)に応じて変わってもよい。針は、数インチの長さであってもよく、ハンドルを含んでもよい本体に付着する近位端を有してもよい。
【００２１】
ステップ204で、縫合糸を針によって解放する。本発明の1つ又は複数の実施形態では、縫合糸は、自然力を使用して針から解放され得る。例えば、組織及びスネアを越えた距離(例えば、1インチ(2.54cm))を針が伸長された場合、縫合糸を受け入れる本体内の要素によって生じる摩擦は、針を後退させるにつれて縫合糸を針から解放するのに適当であってもよい。縫合糸はまた、何らかの制御部を使用して縫合糸操作デバイスから解放され得る。制御部は、手動(例えば、使用者がボタンを押す)又は自動(例えば、縫合糸操作デバイスが組織を越えて5mm進んだ後に縫合糸を解放する)であってもよい。また、制御部は、縫合糸操作デバイス上(例えば、縫合糸操作デバイスのハンドル上)に、又は縫合糸操作デバイスから離れて(例えば、遠隔制御)位置してもよい。一例として、縫合糸操作デバイスは、縫合糸操作デバイスが組織を穿通し横断するとき、後退位置で縫合糸を保持するスネア(例えば、フック)を含んでもよい。次に、スネアは伸長及び/又は回転して、縫合糸を縫合糸操作デバイスから離して(すなわち、解放して)もよい。スネアは、縫合糸の全体又は一部分を解放してもよい。
【００２２】
任意選択で、ステップ205で、縫合糸操作デバイスが縫合デバイスとは異なる器具である場合、縫合糸が針から解放された後、縫合糸操作デバイスを組織から除去する。任意のステップ205はまた、縫合糸を異なる組織に、又は同じ組織であるが縫合糸操作デバイスを通した組織の地点に近接した領域に貫通させて戻す場合に実施され得る。さらに、ステップ206で、縫合糸操作デバイスを組織に挿入する。本発明の1つ又は複数の実施形態では、縫合糸を通すのに使用される縫合糸操作デバイスは、縫合糸を回収するのに使用される縫合糸操作デバイスとは異なる。縫合糸操作デバイスは、ステップ202で縫合糸操作デバイスを使用して縫合糸を挿入した場所に近接した位置で、同じ組織に挿入され得る。或いは、縫合糸操作デバイスは、縫合糸操作デバイスによって縫合糸を貫通させた組織とは異なる(例えば、隣接した)組織に挿入され得る。
【００２３】
ステップ208で、縫合糸操作デバイスのスネアを伸長する。このステップ208は、スネアがまだ伸長されていない場合に実施される。スネアは、何らかの制御部を使用して縫合糸操作デバイスから伸長され得る。制御部は、手動(例えば、使用者がボタンを押す)又は自動(例えば、縫合糸操作デバイスが組織を越えて10mm進んだ後にスネアを解放する)であってもよい。また、制御部は、縫合糸操作デバイス上(例えば、縫合糸操作デバイスのハンドル上)に、又は縫合糸操作デバイスから離れて(例えば、遠隔制御)位置してもよい。
【００２４】
任意選択で、ステップ210で、スネアを回転させる。本発明の1つ又は複数の実施形態では、スネアを回転させて縫合糸が捕捉される。スネアは、縫合糸操作デバイス自体は回転しないようにして、スネアの基部によって回転させてもよい。スネアはまた、スネアの長手方向軸及び/又はラジアル軸に沿ってスネアを回すことによって、軸線方向で回転させてもよい。スネアはまた、本明細書に記載される回転の組合せによって、かつ/又は当技術分野において知られている他の回転によって回転させてもよい。スネアは、一回転もしくは数回転、又は部分回転してもよい。スネアは、時計方向又は反時計方向で回転してもよい。スネアは、何らかの制御部を使用して縫合糸操作デバイスから回転させてもよい。制御部は、手動(例えば、使用者がボタンを押す)又は自動(例えば、スネアを縫合糸操作デバイスから伸長した1秒後にスネアを回転させる)であってもよい。また、制御部は、縫合糸操作デバイス上(例えば、縫合糸操作デバイスのハンドル上)に、又は縫合糸操作デバイスから離れて(例えば、遠隔制御)位置してもよい。
【００２５】
ステップ212で、縫合糸をスネアによって捕捉する。スネアを回転させた場合、縫合糸はスネアの回転中に捕捉され得る。縫合糸はまた、いくつかの他の方法のうちの1つで捕捉され得る。例えば、使用者は、縫合糸がスネアによって捕捉されるようにして、縫合糸をスネア内に位置付けてもよい。別の例として、縫合糸操作デバイス(又はその何らかの部分)は、縫合糸をスネアに捕捉するような何らかの適切なやり方で移動させてもよい。
【００２６】
任意選択で、ステップ214で、スネアを縫合糸操作デバイスに向かって後退させる。縫合糸操作デバイスに向かうスネアの後退は、部分的(例えば、さらなる後退が可能な13mm)又は全体的(すなわち、スネアをそれ以上後退できない)であってもよい。スネアは、何らかの制御部を使用して縫合糸操作デバイスに向かって後退され得る。制御部は、手動(例えば、使用者がボタンを押す)又は自動(例えば、丸一回転スネアを回転させた後にスネアを後退させる)であってもよい。また、制御部は、縫合糸操作デバイス上(例えば、縫合糸操作デバイスのハンドル上)に、又は縫合糸操作デバイスから離れて(例えば、遠隔制御)位置してもよい。本発明の1つ又は複数の実施形態では、縫合糸は、スネアを縫合糸操作デバイスに向かって後退させることなく、スネアによって固定される。
【００２７】
ステップ216で、縫合糸が固定されているかを判断する。縫合糸が固定されていることの判断は、手動(例えば、観察デバイス(例えば、関節鏡視下手術中の内視鏡)を使用して使用者の視野内で)又は自動で実施され得る。縫合糸が固定されていることの判断は、1つもしくは複数のセンサ、及び/又はかかる判断を行うように適合された他のデバイスを使用して、自動的に行われてもよい。例えば、センサは、スネアを後退させるのに必要な力(例えば、張力)の量を測定するように適合され得る。かかる例では、スネアを後退させるのに使用される力が閾値力を下回る場合、センサは、縫合糸が安定しておらず、スネアを再度抜出し回転させて縫合糸を固定する必要があることを使用者に指示する。或いは、スネアを後退させるのに使用される力が閾値力を上回る場合、センサは、自動的にスネアを再度抜出及び/又は回転させて、縫合糸を固定してもよい。縫合糸が固定されていない場合、プロセスはステップ208に戻る。縫合糸が固定されている場合、プロセスはステップ218に進む。
【００２８】
ステップ218で、縫合糸操作デバイスを縫合糸と共に組織から後退させる。縫合糸操作デバイスは、手動(使用者によってなど)又は自動(自動化プロセスを使用するときなど)で後退され得る。ステップ218が完了すると、プロセスは終了する。
【００２９】
図2Bを参照すると、本発明の1つ又は複数の実施形態による、縫合糸を操作する別の方法が記載されている。ステップ252で、縫合糸操作デバイスのスネアを使用して組織を固定する。組織は、いくつかの方法のうちの1つでスネアによって固定され得る。例えば、スネアは、組織を締め付けることによって、組織が支えられてもよいブレースを設けることによって、組織の支持体を設けることによって、組織を固定する他の何らかの適切な手段を使用することによって、又はそれらの任意の組合せを使用することによって、組織に対する支持を提供してもよい。本発明の1つ又は複数の実施形態では、組織は、穿孔したとき移動することがある軟組織である。
【００３０】
ステップ254で、針を延伸して組織を穿孔する。本発明の1つ又は複数の実施形態では、針は、ステップ252に関して上述したデバイスと同じ縫合糸操作デバイスと統合される。針は、縫合糸操作デバイスとは独立して移動してもよい。針の遠位端は、縫合糸を固定及び/又は解放するように適合された遠位端を含んでもよい。針は、何らかの制御部を使用して延伸され得る。制御部は、手動(例えば、縫合糸操作デバイスのハンドル上のプランジャを押す)又は自動(例えば、スネアが組織を固定した3秒後に針を延伸させる)であってもよい。また、制御部は、縫合糸操作デバイス上(例えば、縫合糸操作デバイスのハンドル上)に、又は縫合糸操作デバイスから離れて(例えば、遠隔制御)位置してもよい。
【００３１】
ステップ256で、針を使用して縫合糸を組織及びスネアに貫通させる。縫合糸(すなわち、針の遠位端)が、組織及び組織を固定するスネアを越えて通る距離は、変動してもよい。さらに、本発明の1つ又は複数の実施形態では、縫合糸操作デバイスは、針が組織を出た後に実質的にスネアの近くを通るような形で構成され得る。
【００３２】
ステップ258で、縫合糸を針から解放する。縫合糸は、自然力を使用して針から解放され得る。例えば、組織及びスネアを越えた距離(例えば、1インチ(2.54cm))を針が延伸された場合、縫合糸を受け入れる本体内の要素によって生じる摩擦は、針を後退させるにつれて縫合糸を針から解放するのに適当であってもよい。縫合糸はまた、何らかの制御部(例えば、ジャムクリート(jam cleat)の解放)を使用して針から解放され得る。針は、縫合糸の全体又は一部分を解放してもよい。縫合糸を針から解放するのに使用される制御部がある場合、手動(例えば、使用者がボタンを押す)又は自動(例えば、針が組織を越えて5mm進んだ後に縫合糸を解放する)であってもよい。また、制御部は、縫合糸操作デバイス上(例えば、縫合糸操作デバイスのハンドル上)に、又は縫合糸操作デバイスから離れて(例えば、遠隔制御)位置してもよい。
【００３３】
ステップ260で、針を組織から後退させる。本発明の1つ又は複数の実施形態では、縫合糸操作デバイスのスネアが実質的に組織を支持する適所で留まっている状態で、針が後退される。針は、何らかの制御部を使用して組織から後退され得る。制御部は、手動(例えば、縫合糸操作デバイスのハンドル上のプランジャにあるプリング)又は自動(例えば、針が3秒間組織を貫通した後に針を後退させる)であってもよい。また、制御部は、縫合糸操作デバイス上(例えば、縫合糸操作デバイスのハンドル上)に、又は縫合糸操作デバイスから離れて(例えば、遠隔制御)位置してもよい。
【００３４】
ステップ262で、縫合糸をスネアで捕捉する。本発明の1つ又は複数の実施形態では、スネアは、針が後退される際に縫合糸を捕捉する。スネアはまた、スネアが縫合糸を捕捉するのに適切に向き付けられるように、スネアを移動させることによって縫合糸を捕捉してもよい。例えば、スネアは、縫合糸を捕捉するように縫合糸に向かって上方に移動させてもよい。
【００３５】
ステップ264で、縫合糸が固定されているかを判断する。縫合糸が固定されていることの判断は、手動(例えば、観察デバイス(例えば、関節鏡視下手術中の内視鏡)を使用して使用者の視野内で)又は自動で実施され得る。縫合糸が固定されていない場合、プロセスはステップ266に進む。縫合糸が固定されている場合、プロセスはステップ268に進む。
【００３６】
ステップ266で、スネアを作動させる。本発明の1つ又は複数の実施形態では、縫合糸をスネアに固定するようにスネアを作動させる。スネアを作動させた後、プロセスはステップ264に戻って、スネアを作動させることによって縫合糸が固定されたかを判断する。
【００３７】
ステップ268で、縫合糸がスネアによって固定された後、スネアを縫合糸と共に除去する。スネアは、いくつかの方法のうちの1つで除去され得る。例えば、スネアが固定的に取り付けられている縫合糸操作デバイス全体が除去され得る。別の例として、スネアは(縫合糸操作デバイスの残りの部分と共に)何らかの制御部を使用して後退され得る。制御部は、手動(例えば、縫合糸操作デバイスのハンドルのボタンを押す)又は自動(例えば、縫合糸が固定された1秒後にスネアを延伸させる)であってもよい。また、制御部は、縫合糸操作デバイス上(例えば、縫合糸操作デバイスのハンドル上)に、又は縫合糸操作デバイスから離れて(例えば、遠隔制御)位置してもよい。スネアが縫合糸と共に除去された後、プロセスは終了する。
【００３８】
図3A〜図3Dは、本発明の1つ又は複数の実施形態による、縫合糸回収能力を備えた縫合糸操作デバイスを示す。図3Aは、プッシュロッド(304)を収容するように適合されたキャビティ(314)を有する本体(302)と、縫合糸(310)を貫通させるように適合されたチャネル(308)を備えた針(306)とを含む、縫合糸回収能力を備えた縫合糸操作デバイスの断面を示す。スネア(312)は、プッシュロッド(304)の遠位端で取り付けられる。これらの構成要素それぞれについて後述する。本発明の実施形態は、図3A及び図3Bに示され、本明細書で考察される構成に限定されない。
【００３９】
本発明の1つ又は複数の実施形態では、プッシュロッド(304)が遠位端に向かって移動され、縫合糸(310)に接触すると、縫合糸(310)が、プッシュロッド(304)によって針(306)のチャネル(308)内の適所で保持される。縫合糸(310)はまた、プッシュロッド(304)の使用を含まない1つ又は複数の他の手段を使用して、針(306)のチャネル(308)内の適所で保持され得る。例えば、チャネル(308)が縫合糸(310)のサイズよりもわずかに大きくサイズ決めされているとき、又は余分な縫合糸(310)が針(306)に通されて、針(306)が組織を貫通すると縫合糸(310)の両端が針(306)を辿り、縫合糸操作デバイスの近位端に向かって伝うようにしたときなど、縫合糸(310)は摩擦によって適所で保持され得る。別の例として、縫合糸操作デバイスは、チャネル(308)内へと伸長して縫合糸(310)をチャネル(308)内の適所で保持する、遠位端で本体(302)に埋め込まれた後退可能な切欠き(例えば、ジャムクリート)を含んでもよい。縫合糸(310)は、縫合糸操作デバイスが組織に挿入され、組織を貫通してステッチを始める前及びその間、適所で保持され得る。針(306)のチャネル(308)に加えて、縫合糸(310)は、本発明の実施形態における縫合糸操作デバイスの外部にあってもよい。
【００４０】
本発明の1つ又は複数の実施形態では、針(306)は組織を穿通するのに使用される。針は、任意の長さ及び/又は形状のものであってもよく、組織、及び縫合糸(310)を挿入してもよいような類似の材料を穿通するように設計された、任意の材料で作られてもよい。針(306)の形状の例としては、直線状、1/4サークル、3/8サークル、1/2サークル、5/8サークル、複合曲線、先曲がり(half curved)(スキー型としても知られる)、及び直線セグメントの両端が先曲がりであるもの(カヌー型としても知られる)が挙げられるが、それらに限定されない。針(306)はまた、その尖端の幾何学形状に基づいて分類され得る。針(306)の分類の例としては、テーパー針、角針、逆角針(reverse cutting)、テーパーカット針、鈍針、及びヘラ型針が挙げられるが、それらに限定されない。さらに、本発明の1つ又は複数の実施形態では、針(306)(ならびに少なくとも、組織及び他のかかる物質を穿通する本体(302)の部分)の直径は、縫合糸(310)の直径とほぼ同じであるか、又はそれよりもわずかに大きい。
【００４１】
本発明の1つ又は複数の実施形態では、プッシュロッド(304)は、電動制御を使用して、空気制御を使用して、又は他の何らかの機構を使用して、手動で(例えば、本体(302)の近位端を越えて伸長しているプッシュロッド(304)の一部分を押す、かつ/もしくは引くことによって)縫合糸操作デバイスの遠位端及び/又は近位端に向かって移動され得る。本体(302)のキャビティ(314)内部でのプッシュロッド(304)の位置を制御するのに使用される制御部は、遠隔制御デバイスを使用して、又は他の何らかの適切な制御手段を使用して、本体(302)の近位端(ハンドル上など)に位置してもよい。本発明の1つ又は複数の実施形態では、プッシュロッド(304)、ならびにプッシュロッド(304)が中に存在する本体(302)のキャビティ(314)は、円形の形状である。かかる例では、プッシュロッド(304)は、本体(302)のキャビティ(314)内で横方向及び/又は回転方向で移動してもよい。キャビティ(314)は、縫合糸(310)を適所で保持し、かつ/又はスネア(312)を作動させて縫合糸(310)を捕らえるため、プッシュロッド(304)がキャビティ(314)内で移動できるような形で形作られてもよい。
【００４２】
本発明の1つ又は複数の実施形態では、プッシュロッド(304)が縫合糸操作デバイスの本体(302)の遠位端に向かって位置付けられると、スネア(312)の残りの部分(すなわち、縫合糸を捕捉するのに使用されるスネア(312)の部分)が縫合糸操作デバイスの外部に位置するようにして、スネア(312)が針(306)のチャネル(308)に通される。スネア(312)の基部は、遠位端でプッシュロッド(304)の端部に取り付けられてもよい。かかる例では、スネア(312)の基部は、プッシュロッド(304)の端部の中心から外れた部分を含む、プッシュロッド(304)の端部の任意の部分に取り付けられてもよい。スネア(312)は、閉ループ及びフックを含むがそれらに限定されない、いくつかの形状のうちの1つであってもよい。
【００４３】
スネア(312)は、1つもしくは複数の異なる性質を有するいくつかの異なる材料のうちの1つ又は複数で作られてもよい。例えば、スネア(312)は、ニチノール、軟金属、プラスチック、及び/又は他の何らかの適切な材料で作られてもよい。スネア(312)は、スネア(312)の長さ全体にわたって均一な、又は変動する厚さを有してもよい。さらに、スネア(312)の異なる部分は異なる材料で作られてもよい。例えば、プッシュロッド(304)の端部に取り付けられるスネア(312)の基部はナイロンで作られてもよく、スネア(312)の残りの部分は軟金属で作られてもよい。スネア(312)は、スネア(312)及び縫合糸(310)が同時にチャネル(308)に嵌合できるような、適切なサイズのものであってもよい。
【００４４】
本発明の1つ又は複数の実施形態では、本体(302)、プッシュロッド(304)、及び針(306)は、1つもしくは複数の異なる性質を有するいくつかの異なる材料のうちの1つ又は複数で作られてもよい。例えば、本体(302)はステンレス鋼で作られてもよく、プッシュロッド(304)はプラスチックで作られてもよく、針(306)はチタンで作られてもよい。本体(302)は、その長さに沿って変動する外形及び/又は特徴を有してもよい。例えば、本体(302)の近位端に向かって、ハンドルは、縫合糸回収能力を備えた縫合器具を使用して手でより簡単に握って制御するのを容易にするように輪郭が付けられ、かつ/又は材料(例えば、ゴム)で作成もしくはコーティングされ得る。本体(302)はまた、縫合糸を操作する機能を実施する、1つ又は複数の制御デバイス(例えば、ボタン、ノブ)を含んでもよい。
【００４５】
図3Bは、図3Aに関して上述したような、縫合糸回収能力を備えた縫合糸操作デバイスの使用の変形例を示す。具体的には、縫合糸回収能力を備えた縫合糸操作デバイスが組織に挿入されると、縫合糸(330)は、本体(322)のキャビティ(334)の内のプッシュロッド(324)を完全に挿入するのではなく、後退させることによって、しっかりと保持され得る。換言すれば、図3Aに関して上述したように、チャネル(328)内の縫合糸(330)に対するプッシュロッド(324)の力を使用して縫合糸(330)を適所で保持するのではなく、縫合糸(330)は、プッシュロッド(324)の端部に取り付けられたスネア(332)が完全に伸長される程度まで、プッシュロッド(324)をキャビティ(334)内で後退させることによって、適所で保持され得る。したがって、縫合糸(330)をキャビティ(334)に向かって(すなわち、近位端に向かって)引っ張るスネア(332)の力で、針(326)のチャネル(328)内で縫合糸(330)を適所で保持してもよい。縫合糸(330)が、回収しステッチを完成させるために解放できる状態のとき、プッシュロッド(324)は遠位端に向かって前進させられるので、スネア(332)が緩み、縫合糸(330)に対して力が加わらなくなる。縫合糸(330)は、いくつかの方法のうちの1つでチャネル(328)から外すことができる。例えば、縫合糸操作デバイスは、縫合糸(330)が固定して保持されている状態で前進させられてもよい。結果として、縫合糸(330)はチャネル(328)から滑って外れてもよい。
【００４６】
図3Cは、本発明の1つ又は複数の実施形態による、図3A及び図3Bの縫合糸回収能力を備えた縫合糸操作デバイスの図を示す。この例では、縫合糸(図示せず)は、針の本体(342)のチャネル(348)から解放されている。ここで、スネア(352)は、回収のために縫合糸を捕捉するように、プッシュロッド(344)を使用して位置付けられている。後述する図4A〜図4Dは、本発明の1つ又は複数の実施形態による、回収のために縫合糸を捕捉するのにどのようにスネアを使用できるかを示している。
【００４７】
図3Dは、縫合糸操作デバイス(372)が鈍端部(376)を備えた遠位側に位置する中空針を有する、本発明の1つ又は複数の実施形態を示す。縫合糸操作デバイス(372)の鈍端部(376)は、スロット付き(例えば、図3Dに示されるような、扁平な管状の形状)であってもよく、又は組織を穿通する鋭い遠位先端を備えた他の何らかの形状を有してもよい。この図3Dのスネア(374)は、図3A〜図3Cに関して上述したような、針の側面に面する開口部ではなく、鈍端部(376)から突出する。スネア(374)は、縫合糸(図示せず)を捕捉するため、縫合糸操作デバイス(372)の鈍端部(376)から伸長され得る。一旦縫合糸が捕捉されると、スネア(374)は、(例えば、鈍端部(376)にある開口部に嵌合するように)位置合わせされ、縫合器具(372)内へと後退され得る。スネア(374)は、プッシュロッド(図示せず)又は他の制御機構を使用して、制御(例えば、抜出、延伸、回転)され得る。
【００４８】
図4A〜図4Dでは、スネア(例えば、402、412、422、432)が端部に取り付けられるプッシュロッド(図示なし)は、スネア(例えば、402、412、422、432)が縫合糸回収能力を備えた縫合糸操作デバイスの本体(例えば、404、414、424、434)の周りを回転するようにして回転させられる。スネア(例えば、404、414、424、434)は、図4A〜図4Dに示されるように、スネア(例えば、404、414、424、434)の基部によって回転してもよい。スネア(例えば、404、414、424、434)はまた、図2Aに関して上述したような、1つ又は複数の他のタイプの回転で回転してもよい。スネア(例えば、402、412、422、432)のサイズは、縫合糸操作デバイスの近位端に向かってプッシュロッドを後退させることによって縮小され得る。反対に、スネア(例えば、402、412、422、432)のサイズは、遠位端に向かってプッシュロッドを延伸することによって増大され得る。さらに、スネア(例えば、402、412、422、432)が縫合糸操作デバイスに対して成す角度(この例では、約30°)は、縫合糸をより良好に捕捉するように制御され得る。例えば、縫合糸操作デバイス全体が、角度を減少させるように組織及び縫合糸から離れる方向で後退され得る。反対に、縫合糸操作デバイス全体が、角度を増大させるように組織及び縫合糸に向かって延伸され得る。スネア(例えば、402、412、422、432)が縫合糸操作デバイスに対して成す角度はまた、ワイヤスネアを押し、かつ/又は引くように適合された、プッシュロッドの端部及びスネアの基部に固着されたレバーを使用することを含むがそれに限定されない、いくつかの他の方法で制御され得る。スネア(例えば、402、412、422、432)の回転は、手動で(例えば、スイッチを切り替える、スネアを回転させる手動操作を停止する)、又は何らかの事象(例えば、時間の経過、縫合糸の捕捉)の発生後に終了してもよい。
【００４９】
図5は、本発明の1つ又は複数の実施形態による、スネア(504)によって捕捉され固定されている縫合糸(502)を示す。この例では、プッシュロッド(506)は、縫合糸操作デバイスの近位端に向かって、スネア(504)が掴持される地点まで後退される。縫合糸(502)は、スネア(504)によって本体(508)に固定される。したがって、プッシュロッド(506)が同じ位置に留まっている(すなわち、スネアが掴持されている)とき、縫合糸操作デバイスは縫合糸(502)と共に抜出され得る。プッシュロッド(506)は、ロッキング機構(図示せず)の使用によって適所に留まってもよい。例えば、縫合糸操作デバイスのハンドル(図示せず)は、プッシュロッド(506)を適所でロックするボタンを含んでもよい。
【００５０】
図6A〜図6Dは、本発明の1つ又は複数の実施形態による、縫合糸回収能力を備えた縫合糸操作デバイスを示す。この例では、スネア(例えば、602、612、622、632)はフックである。フックは、細線、プラスチック、他の何らかの適切な材料、又はそれらの任意の組合せで作られてもよい。スネア(例えば、602、612、622、632)の形状及びサイズは変動してもよい。この例では、スネア(例えば、602、612、622、632)の形状は、その遠位端の180°円弧、ならびに180°円弧の直近位にあるスネアの屈曲を含み、屈曲が及ぶ横方向距離は180°円弧の直径に等しい。換言すれば、180°円弧の端部は屈曲の手前にあるスネアの基部と並ぶ。本発明の1つ又は複数の実施形態では、180°円弧の直径は、縫合糸(図示せず)の直径よりもわずかに大きい。
【００５１】
本発明の1つ又は複数の実施形態では、スネア(例えば、602、612、622、632)は、スロット付きハウジング(例えば、604、614、624、634)から延伸され、その中に後退される。上述したように、スロット付きハウジング(例えば、604、614、624、634)は、スネアが特定のやり方で向き付けられたときにのみ、スネア(例えば、602、612、622、632)を収納するような形で、サイズ決めされ構成され得る。本発明の1つ又は複数の実施形態では、スロット付きハウジング(例えば、604、614、624、634)は、縫合糸操作デバイスの遠位端又はその付近で本体から突出する。プッシュロッドは、縫合糸操作デバイスの内部で完全に延伸されたときに、スネア(例えば、602、612、622、632)を操作して縫合糸を捕捉するために、本体のスロット付きハウジング(例えば、604、614、624、634)を通してスネア(例えば、602、612、622、632)を伸長するように適合され得る。
【００５２】
図3A〜図5に関して上述したループスネアのように、図6A〜図6Dのスネア(例えば、602、612、622、632)は、縫合糸操作デバイスの移動とは独立して回転してもよい。この例では、スネア(例えば、602、612、622、632)は、スネア(例えば、602、612、622、632)の基部から縫合糸操作デバイスに対して垂直に生じる軸線に対して比較的一定の角度で回転する。かかる角度は、スロット付きハウジング(例えば、604、614、624、634)内でスネア(例えば、602、612、622、632)を遠位側又は近位側に移動させることによって変更され得る。本発明の1つ又は複数の実施形態では、スネア(例えば、602、612、622、632)は屈曲した自然状態を有する。かかる例では、スネア(例えば、602、612、622、632)を後退させることによって、スネア(例えば、602、612、622、632)の屈曲の量を低減させてもよい。スネア(例えば、602、612、622、632)は、手動の指示(例えば、縫合糸操作デバイスのハンドルのノブを使用者が回す)、電動の指示(例えば、遠隔制御デバイスのスイッチをオンにする)、他の何らかの適切な機構の使用、又はそれらの任意の組合せに基づいて回転してもよい。スネア(例えば、602、612、622、632)の回転は、手動で(例えば、スイッチを切り替える、スネアを回転させる手動操作を停止する)、又は何らかの事象(例えば、時間の経過、縫合糸の捕捉)の発生後に終了してもよい。
【００５３】
図7A〜図7Dに示されるように、本発明の1つ又は複数の実施形態では、スネア(例えば、702、712、722、732)が、幅及び高さが異なる半可撓性構造を備えたフック又は他の何らかの形状であるとき、同じ(又はわずかに大きい)幅及び高さを有するスロット付きハウジング(例えば、704、714、724、734)が使用され得る。スロット付きハウジング(例えば、704、714、724、734)は、縫合糸操作デバイスが縫合糸(図示せず)を組織(図示せず)に貫通させたとき、スネア(例えば、702、712、722、732)を隠す役割を果たしてもよい。スロット付きハウジング(例えば、704、714、724、734)は、組織を穿刺し、縫合糸操作デバイスを組織に貫通させるのを容易にするのに使用される、尖端(例えば、706、716、726、736)を含むように構成され得る。上述したように、スロット付きハウジング(例えば、704、714、724、734)は、針の先端に位置しないとき、尖端(例えば、706、716、726、736)を有さなくてもよい。かかる例では、スロット付きハウジング(例えば、704、714、724、734)は、縫合糸操作デバイスの任意の外表面に位置してもよい。
【００５４】
図7Aに示されるように、スネア(例えば、702、712、722、732)が縫合糸を固定していないとき、スネア(例えば、702、712、722、732)は、スロット付きハウジング(例えば、704、714、724、734)内へと完全に後退され得る。縫合糸を組織に貫通させるときにスネア(例えば、702、712、722、732)を隠すことによって、縫合糸操作デバイスが比較的低いプロファイルを有するため、組織に対する外傷をより少なくすることができる。本発明の1つ又は複数の実施形態では、縫合糸操作デバイスが縫合糸(図示せず)を組織(図示せず)に貫通させた後、スネア(例えば、702、712、722、732)は、図7Bに示されるように、スロット付きハウジング(例えば、704、714、724、734)の外に延伸される。スネア(例えば、702、712、722、732)が延伸される際、スネア(例えば、702、712、722、732)は、図6A〜図6Dに関して上述したように回転して、縫合糸を捕らえるのを容易にしてもよい。
【００５５】
さらに、縫合糸がスネア(例えば、702、712、722、732)によって捕捉されると、スネア(例えば、702、712、722、732)は、図7C及び図7Dに示されるように、スロット付きハウジング(例えば、704、714、724、734)内へと後退され得る。スロット付きハウジング(例えば、704、714、724、734)の寸法上の理由から、スネア(例えば、702、712、722、732)がスロット付きハウジング(例えば、704、714、724、734)に対して適切に向き付けられている場合にのみ、スネア(例えば、702、712、722、732)をスロット付きハウジング(例えば、704、714、724、734)内へと後退させることができる。さらに、図7Dに示されるように、スネア(例えば、702、712、722、732)がスロット付きハウジング(例えば、704、714、724、734)内へと後退されると、スネア(例えば、702、712、722、732)は、スロット付きハウジング(例えば、704、714、724、734)をわずかに越えて突出してもよい。縫合糸(図示せず)は、スネア(例えば、702、712、722、732)によって固定されたときに、スロット付きハウジング(例えば、704、714、724、734)の壁とスネア(例えば、702、712、722、732)との間に押し込まれて、スネア(例えば、702、712、722、732)が完全に後退されるのを防いでもよいので、スネア(例えば、702、712、722、732)は突出していてもよい。換言すれば、スネア(例えば、702、712、722、732)は、縫合糸がスネア(例えば、702、712、722、732)によって固定されたときに完全に後退されるのではなく、図7Dに示されるように実質的に後退され得る。
【００５６】
図8は、本発明の1つ又は複数の実施形態による、縫合糸回収能力を備えた縫合糸操作デバイスを示す。図8の縫合糸操作デバイスは、遠位端(804)で曲線状になっていてもよい針(802)と、穿通尖端(penetrating point)、及び縫合糸(図示せず)を保持し、縫合糸を通した後に解放する手段を備えた先端(806)とを含む。この例では、縫合糸を通す手段は、縫合糸を通すのに十分な大きさである、先端(806)を通るスロット(808)である。先端(806)は、使用者が縫合糸を固定及び/又は解放することを可能にする、機構(例えば、ローラ、針(802)内部のチャネル内にある後退可能であって可撓性のプッシュロッド、スロット(808)内部の機械作動式のジャムクリート)を含んでもよい。
【００５７】
縫合糸操作デバイスはまた、縫合糸回収器(810)を含んでもよい。本発明の1つ又は複数の実施形態では、縫合糸回収器(810)の遠位端に位置するスネア(812)は、縫合糸の回収に加えて組織を固定するように適合されている。縫合糸回収器(810)のスネア(812)は、組織を締め付けること、組織が支えられてもよいブレースを設けること、組織の支持体を設けること、組織を固定する他の何らかの適切な手段を使用すること、又はそれらの任意の組合せによって、組織を固定してもよい。本発明の1つ又は複数の実施形態では、縫合糸回収器(810)のスネア(812)は、針(802)の穿通から離れる方向の組織移行を伴うことなく、針(802)が組織を穿孔できるようにして、組織を固定してもよい。
【００５８】
図8に示されるように、縫合糸回収器(810)は2つの平行なロッドであり、縫合糸回収器(810)のスネア(812)は、2つのロッドを接続する半円形のループであって、針(802)が組織を貫通し終えると、針(802)にほぼ垂直なある角度で屈曲する。この例では、スネア(812)は、針(802)がスネア(812)に渡される際にスネア(812)と針(802)との間に形成される角度が約110°であり、その結果、組織内への通路がより簡単に作られるようにして、縫合糸回収器(810)の2つの平行なロッドに対して屈曲する。一般に、本発明の実施形態は、スネア(812)と針(802)との間の角度が変動してもよいように構成され得る。例えば、スネア(812)及び/又は針(802)は、スネア(812)と針(802)との間の角度を変更するように調節され得る。スネア(812)と針(802)との間の角度は、0°をわずかに上回る角度から180°の範囲であってもよい。
【００５９】
図8に示されるような構成では、縫合糸回収器(810)のスネア(812)は、針(802)が組織を穿通する際に、組織の上面及び/又は裏面を固定するように適合される。さらに、縫合糸回収器(810)のスネア(812)は、縫合糸を捕捉及び/又は固定するように構成され得る。例えば、縫合糸がスネア(812)に押し込まれるように、スネア(812)は先細状であってもよい。別の例として、スネア(812)は、縫合糸がスネア(812)のループに向かって通り、使用者によって又は自動的に(例えば、組織から特定の距離を縫合糸操作デバイスが一旦除去されると)ラッチ機構が解放されるまで、固定されたままであることを可能にする、ラッチ機構を含んでもよい。
【００６０】
針(802)は、近位端で縫合糸操作デバイスの本体(図示せず)及び/又はハンドル(図示せず)に取り付けられてもよい。本発明の1つ又は複数の実施形態では、針(802)は、縫合糸回収器(810)に対して伸長し後退され得る。換言すれば、縫合糸回収器(810)が組織の後方において適所で保持されているとき、針(802)は、縫合糸と共に遠位側へと伸長されて組織を穿通してもよい。さらに、針(802)は、縫合糸回収器(810)のスネア(812)を越えて伸長してもよい。具体的には、針(802)の遠位端(例えば、(806)、(808))を縫合糸回収器(810)のスネア(812)を越えて前進させる際、針(802)の遠位端(例えば、(806)、(808))(縫合糸を含む)は、2つのロッド間を、かつ縫合糸回収器(810)のスネア(812)の2つのロッドを接続する半円形のループの上方を通る。針(802)が組織を通って十分に遠くまで伸長されていると、縫合糸は(上述したように)解放されてもよく、縫合糸の一部又は全体を伴わずに針(802)が組織を通って後退されて戻ってもよい。或いは、縫合糸は、解放されずに、スネア(812)の十分に向こう側まで押すことができる。次に、針が組織から後退され、続いて縫合糸回収器(810)が後退され得る。縫合糸回収器(810)は、後退される際に、縫合糸を捕捉し固定して、スネア(812)の上に折り重ねてもよい。本発明の1つ又は複数の実施形態では、縫合糸が針(802)から解放されると、縫合糸がスネア(812)によって捕捉される。
【００６１】
図8を引き続き参照すると、縫合糸が針(802)から解放されているとき、縫合糸回収器(810)は縫合糸を回収してもよい。本発明の1つ又は複数の実施形態では、縫合糸回収器(810)は、針(802)が組織から引き出されるまで、縫合糸を回収しなくてもよい。縫合糸は、手動及び/又は自動プロセスを用いて、縫合糸回収器(810)を使用して回収され得る。縫合糸を回収する手動プロセスは、使用者による動作を伴ってもよい。例えば、使用者は、針(802)を後退し、縫合糸操作デバイス(及びしたがって縫合糸回収器(810))を組織から離れる方向で上方に持ち上げて、縫合糸が縫合糸回収器(810)のスネア(812)を捕捉し固定するようにし、縫合糸操作デバイス(及びしたがって縫合糸)を除去することによって、縫合糸を手動で回収してもよい。このプロセスの一部又は全体はまた、1つもしくは複数の制御部を使用して自動で実施され得る。
【００６２】
本発明の1つ又は複数の実施形態では、縫合糸操作デバイスの針(802)及び縫合糸回収器(810)(又はそれらの部分)は、独立して回転してもよい。針(802)及び縫合糸回収器(810)(又はそれらの部分)はまた、連携して回転してもよい。さらに、針(802)及び/又は縫合糸回収器(810)(もしくはそれらの部分)は、針(802)及び/又は縫合糸回収器(810)(もしくはそれらの部分)を延伸ならびに/或いは抜出するときに、針(802)及び/又は縫合糸回収器(810)(もしくはそれらの部分)を向き付けるのを助けるため、上述したようにキー溝付きであってもよい。
【００６３】
以下の説明(図2A〜図8と併せて)は、本発明の1つ又は複数の実施形態によるいくつかの例について記載する。例は、単に説明を目的とし、本発明の範囲を限定しようとするものではない。図2A〜図8で使用される用語は、図2A〜図8をさらに参照することなく、諸例において使用されることがある。
【実施例１】
【００６４】
上述の1つ又は複数の実施形態による、特に図2A及び図6A〜図7Dに関して上述したような、単一の縫合糸操作デバイスを使用して縫合糸を通し、縫合糸を回収することについて記載している、図9A〜図10Bに示される次の例について考察する。この例では、図9Aに示されるように、縫合糸(902)がスネア(906)によって縫合糸操作デバイスの針(904)に固定されるシナリオについて考察する。ここでは、針(904)は、組織を穿通する穿通尖端(910)を遠位端に有する。針(904)の近位端は、縫合糸操作デバイスの本体(912)に接続される。この例のスネア(908)はフックであり、遠位端の下方で針(904)の側面に位置する雌ハウジング(908)を通る針(904)の長さの内部を通っているチャネル(図示せず)内へと後退されて、縫合糸(902)を固定する。雌ハウジング(908)は、スネア(906)が完全に後退されたとき、針(904)の壁を越えてスネア(906)が突出しても、それがわずかであるように構成され得る。
【００６５】
スネア(906)、及び/又は針(904)の側面の雌ハウジング(908)は、スネア(906)が完全に後退されたとき、スネア(906)が針(904)の外側と面一又はほぼ面一に収まるようないくつかの方法のうちの1つで構成され得る。本発明の1つ又は複数の実施形態による、スネア(906)及び雌ハウジング(908)をどのように構成できるかの一例は、図10A及び図10Bに示されている。具体的には、図10Aでは、スネア(1014)は遠位端のフック(1004)として構成され、フック(1004)に近接したキー(1002)を含む。キー(1002)は、キー(1002)のどちらかの側におけるスネアの屈曲によって作られるスネア(1014)の一区画であってもよい。キー(1002)は任意の長さのものであってもよい。例えば、図10Aに示されるように、キー(1002)の長さは、針(1012)の側面までのチャネル(1008)の開口部(1016)の長さとほぼ等しくてもよい。別の例として、キー(1002)の長さは、針(1012)の側面までのチャネル(1008)の開口部(1016)の長さよりも短くてもよい。キー(1002)は、スネア(1014)が後退位置にあるとき、スネア(1014)を固定するのに使用され得る。キー(1002)はまた、スネア(1014)が後退されたときに適切に向き付けられる(例えば、スネア(1014)の遠位端にあるフック(1004)の開口部が針(1012)の雌ハウジング(1006)に面する)ことを担保するのに使用され得る。
【００６６】
キーの断面が図10Bに示される。具体的には、針(1030)がチャネル(1032)を取り囲み、それが次いでスネアの大部分を取り囲むことが示されている。針(1030)の側面にあるチャネル(1032)の開口部に位置付けられたスネアのキー(1034)は、チャネル(1032)内のキー(1034)に近接したスネアと、チャネル(1032)及び針(1030)の外側でキー(1034)の遠位側にあるスネアとを分離する。スネアが針の近位端に向かってチャネル(1032)内へと後退される際、キー(1034)は、スネアを後退位置で固定するのを助ける。図10Bで分かるように、フック(1036)の一部分は針(1030)の外縁部からわずかに突出してもよい。本発明の1つ又は複数の実施形態では、キーは、スネアの回転移動を防ぐ一方で、スネアの並進(例えば、延伸、後退)を可能にする。
【００６７】
図10Aを引き続き参照すると、針(1012)はさらに、雌ハウジング(1006)を含むように構成される。具体的には、雌ハウジング(1006)は、スネア(1014)のフック(1004)を補完するように形作られてもよく、その結果、スネア(1014)が十分に後退されると、フック(1004)の一部が針(1012)の周囲を越えてほとんど又は全く突出しないようにして、フック(1004)が雌ハウジング(1006)の内部に収まる。本発明の1つ又は複数の実施形態では、キーがフック(1004)のより近くに位置するほど、フック(1004)が後退される際にキー(1002)がフック(1004)を適切に向き付ける(例えば、フック(1004)を雌ハウジング(1006)に嵌合する)動作がより有効になる。本発明の1つ又は複数の実施形態では、雌ハウジング(1006)は、フック(1004)と針(1012)との間に捕らえられた縫合糸が最小限の摩擦で摺動できるように、フック(1004)を後退できる量を制限してもよい。
【００６８】
例1を引き続き参照すると、図9Bは、組織(920)を穿通した後の縫合糸操作デバイスを示す。針(904)の穿通尖端(910)は、組織(920)を穿孔し、針(904)の残りの部分が横断してもよい開口部を作成するのに使用される。さらに、スネア(906)は後退されたままなので、針(904)が組織(920)を通って進む際に縫合糸(902)は安定したままである。したがって、縫合糸は、針(904)及びスネア(906)と共に組織を通っている。
【００６９】
図9Cでは、スネア(906)は、雌ハウジング(908)及び針(904)から伸長されている。スネア(906)は、デバイスに対する何らかの制御(手動又は自動)を使用して伸長され得る。さらに、スネア(906)が伸長されている間、及び/又はスネア(906)が伸長された後に、スネア(906)は回転してもよい。スネア(906)は、一回転もしくは数回転、又は部分回転してもよい。スネア(906)は、時計方向又は反時計方向で回転してもよい。使用者がスネア(906)の一回転もしくは数回転の回転移動を制御してもよく、かつ/又は一旦スネア(906)が伸長し始めると回転移動が自動的に生じてもよい。スネア(906)が伸長されるにつれて、縫合糸(902)はスネア(906)から解放される。
【００７０】
図9Dでは、スネア(906)は縫合糸(902)を伴わずに後退されている。スネア(906)が後退されると、縫合糸操作デバイスは、組織(920)を通して引き戻すことによって除去される。縫合糸操作デバイスが組織(920)から除去される際、縫合糸(902)は組織(920)に通されたままである。
【００７１】
図9Eでは、縫合糸操作デバイスは異なる位置へと位置付けられている。具体的には、針(904)は、前回の穿通が生じた組織(920)内の位置に隣接する位置で、組織(920)を穿通してもよい。或いは、針(904)は、組織(920)に近接した異なる組織(図示せず)を穿通してもよい。別の代替例として、針(904)は、いずれの組織(例えば、組織(920))も穿通しない、ただし回収されるのを待っている縫合糸(902)に近接した位置に位置付けられてもよい。針(904)が組織(例えば、組織(920))を穿通するか、又は組織(920)に近接して位置付けられる際、スネア(906)は後退されたままであってもよい。本発明の1つ又は複数の実施形態では、針(904)は、スネア(906)を伸長したときに縫合糸(902)を回収することができる地点まで延伸される。
【００７２】
図9Fでは、スネア(906)は、雌ハウジング(908)及び針(904)から伸長されている。この例では、スネア(906)は、縫合糸(902)を捕捉するように伸長され回転される。縫合糸(902)がスネア(906)によって捕捉されると、スネア(906)は後退される。スネア(906)が雌ハウジング(908)内へと後退されると、縫合糸(902)は固定される。或いは、スネア(906)は、雌ハウジング(908)に対して伸長したまま(図9Fに示されるように)であってもよい。
【００７３】
図9Gでは、一旦縫合糸(902)が固定されると、針(904)が除去される。本発明の1つ又は複数の実施形態では、針(904)が除去される際、縫合糸(902)によってステッチが作られる。次に、縫合糸操作デバイス全体を後退して、縫合糸(902)を縫合糸操作デバイスと共に移動させてもよい。縫合糸操作デバイスが除去されるとき、スネア(906)は、図9Gに示されるように伸長したままであってもよい。或いは、縫合糸操作デバイスが除去されるとき、スネア(906)は後退され得る。
【実施例２】
【００７４】
上述の1つ又は複数の実施形態による、特に図2A及び図6A〜図7Dに関して上述したような、縫合糸操作デバイスを使用して縫合糸を回収することについて記載している、図11A〜図11Hに示される次の例について考察する。この例では、図11Aに示されるように、縫合糸(1102)が組織(1104)に挿入されるシナリオについて考察する。縫合糸(1102)が回収されてステッチが作成される。縫合糸(1102)を回収するため、本発明の1つ又は複数の実施形態による、縫合糸回収デバイス(1106)が使用される。図11Bに示されるように、縫合糸回収デバイス(1106)の針(1110)は、ステッチが所望される場所に近接した領域の組織(1104)に挿入される。
【００７５】
一旦縫合糸回収デバイス(1106)の針(1110)が十分に遠くまで組織(1104)に挿入されると、図11Cに示されるように、スネア(1108)が縫合糸回収デバイス(1106)から伸長される。この例では、スネア(1108)は、縫合糸回収デバイス(1106)の針ではなく近位端付近で突出する。さらに、この例で使用されるスネア(1108)はフックの形状である。この例のスネア(1108)には、スロット付き開口部(図示せず)が使用され得る。
【００７６】
一旦スネア(1108)が縫合糸回収デバイス(1106)から伸長されると、図11D〜図11Fに示されるように、スネア(1108)は縫合糸(1102)を捕捉するために回転させられる。この例では、スネア(1108)は、使用者から見て時計方向で回転する。換言すれば、スネア(1108)は、フックが縫合糸(1102)を捕捉できるように、フックの開口部の方向で掃引される。
【００７７】
スネア(1108)の回転によって縫合糸(1102)を捕らえると、図11Gに示されるように、スネア(1108)は縫合糸回収デバイス(1106)内へと後退される。スネア(1108)は、後退させるにつれて、縫合糸(1102)を縫合糸回収デバイス(1106)に向かって移動させる。スネア(1108)が完全に後退されると、縫合糸(1102)は縫合糸回収デバイス(1106)に対して固定される。
【００７８】
図11Hに示されるように、次に、縫合糸回収デバイス(1106)は、縫合糸(1102)と共に組織(1104)を通して後退される。一旦縫合糸回収デバイス(1106)が組織(1104)から完全に除去されると、ステッチが完成され得る。
【実施例３】
【００７９】
上述の1つ又は複数の実施形態による、特に図2B及び図8に関して上述したような、縫合糸操作デバイスを使用して縫合糸を回収することについて記載している、図12A〜図12Dに示される次の例について考察する。適所で保持するのに支持を要する組織(1206)に貫通させた縫合糸(1212)を使用して、ステッチが作られるシナリオについて考察する。最初に、図12Aでは、組織(1206)は、縫合糸回収器(1208)の遠位端に位置するスネア(1210)を使用して固定されている。具体的には、遠位端は、穿通されている組織(1206)の後方に位置する。この例の目的のため、縫合糸操作デバイスの構成要素は、図8に関して上述したように構成される。
【００８０】
一旦縫合糸回収器(1208)のスネア(1210)を使用して組織(1206)が固定されると、図12Bに示されるように、針(1204)を使用して縫合糸(1212)が組織(1206)に貫通される。この例では、針(1204)は、縫合糸回収器(1208)及び本体(1202)が組織(1206)に対して実質的に固定位置に留まっている状態で、組織(1206)を通して前進させられる。針(1204)が縫合糸(1212)と共に組織(1206)を穿通し貫通する際、組織(1206)は、縫合糸回収器(1208)のスネア(1210)によって適所で保持される。この例では、針(1204)の遠位端は、縫合糸回収器(1208)のスネア(1210)を越えて前進させられる。さらに、針(1204)の遠位端が縫合糸回収器(1208)のスネア(1210)を越えて前進させられる際、針(縫合糸(1212)を含む)の遠位端は、2つのロッド間を、かつ縫合糸回収器(1208)のスネア(1210)の2つのロッドを接続する半円形のループの上方を通る。針(1204)(ならびに針(1204)によって操作される縫合糸(1212))が組織(1206)を越えて十分に遠くまで通されると、縫合糸(1212)は針(1204)から解放される。
【００８１】
縫合糸(1212)が針(1204)から解放された後、図12Cに示されるように、針(1204)は組織(1206)を通して後退される。図12Bに関して上述したような針(1204)の延伸と同様に、針(1204)が組織(1206)の外に出て本体(1202)内へと後退される際、本体(1202)及び縫合糸回収器(1208)は、組織(1206)に対して実質的に固定位置に留まってもよい。
【００８２】
一旦針(1204)が十分に後退される(例えば、組織(1206)を完全に離れて本体(1202)内へと十分に後退される)と、図12Dに示されるように、縫合糸回収器(1208)は、スネア(1210)を使用して縫合糸(1212)を捕捉し固定する。縫合糸(1212)は、いくつかの方法のうちの1つでスネア(1210)に捕捉され得る。この例では、スネア(1210)は組織(1206)を離れるように持ち上げられ、それによっても縫合糸(1212)が、2つのロッドとスネア(1210)の2つのロッドを接続する半円形のループとの間で捕捉される。スネア(1210)は、本体(1202)を持ち上げ、かつ/又は傾けることによって持ち上げられてもよい。縫合糸(1212)がスネア(1210)に捕捉されると、次にデバイス全体が除去される。
【００８３】
本発明の1つ又は複数の実施形態は、縫合糸の操作を提供する。具体的には、本発明の実施形態によって、使用者が、縫合糸をより効率的に押し、かつ/又は回収して、1つもしくは複数のステッチを組織に作成することが可能になる。使用される機器(例えば、縫合糸、針、縫合糸回収デバイス)のサイズにより、かつ/又はステッチを組織に作成する作業を行う空間が小さいことにより、精密なステッチを組織に作成することは、時間を要するプロセスであり得る。本発明の実施形態は、使用者が費やす時間量を低減し、使用者によって作成されるステッチの精度を向上することができる。
【００８４】
本発明の実施形態では、使用者は、外科医、看護師、技術者、医師、獣医、又は創傷を閉じるためにステッチを組織に作成する他の類似の専門家であってもよい。本発明の実施形態によって、縫合糸を通すために組織が穿孔されるとき、使用者が、組織が移行又は離脱しないように固定することが可能になる。本発明の実施形態はまた、縫合糸が組織を貫通した後に、縫合糸を回収するために別個の機器を使用する必要性を排除することができる。本発明の実施形態はまた、組織としての軟組織が穿孔される場合の安定性をもたらす、別個の補助デバイス(例えば、骨)を使用する必要性を排除することができる。本発明の実施形態はまた、縫合糸を組織に貫通させる際に縫合糸を自動的に捕捉することができる。
【００８５】
さらに、本発明の実施形態は、最小限の直径(1.0mm以下)を有する縫合糸操作デバイスを用いて、縫合糸を組織に貫通させることを可能にすることができる。現在、直径約2.5mmの機器が、縫合糸を操作して組織に通すのに使用されている。本発明の実施形態はまた、縫合糸プッシャ及び縫合糸回収器を単一の機器又はデバイスに統合するという利点を提供する。本発明の実施形態はまた、回収のために縫合糸を捕捉し固定するように適合された、後退可能なスネアという利点を提供する。スネアを1つ又は複数の回転方向で回転させることによって、本発明の実施形態が、回収のために縫合糸をより簡単にかつ効率的に捕捉し固定することが可能になる。
【００８６】
少数の実施形態に関して本発明について記載してきたが、本開示の利益を有する当業者であれば、本明細書に開示されるような本発明の範囲から逸脱しない他の実施形態を想起できることを理解するであろう。したがって、本発明の範囲は添付の請求項によってのみ限定されるべきものである。
【符号の説明】
【００８７】
102  軸
104  尖端部
106、126  クランプアーム
108、128  ギャップ
110、130  切欠き
122  本体
302、322、342  本体
304、324、344  プッシュロッド
306、326  針
308、328、348  チャネル
310、330  縫合糸
312、332、352、374  スネア
314、334  キャビティ
372  縫合糸操作デバイス
376  鈍端部
402、412、422、432  スネア
404、414、424、434  本体
502  縫合糸
504  スネア
506  プッシュロッド
508  本体
602、612、622、632  スネア
604、614、624、634  スロット付きハウジング
702、712、722、732  スネア
704、714、724、734  スロット付きハウジング
706、716、726、736  尖端
802  針
804  遠位端
806  先端
808  スロット
810  縫合糸回収器
812  スネア
902  縫合糸
904  針
906  スネア
908  雌ハウジング
910  穿通尖端
912  本体
920  組織
1002、1034  キー
1004、1036  フック
1006  雌ハウジング
1008、1032  チャネル
1012、1030  針
1014  スネア
1016  開口部
1102  縫合糸
1104  組織
1106  縫合糸回収デバイス
1108  スネア
1110  針
1202  本体
1204  針
1206  組織
1208  縫合糸回収器
1210  スネア
1212  縫合糸
【図３Ａ】
2014512873.tif 000003
【図３Ｂ】
2014512873.tif 000004
【図３Ｃ】
2014512873.tif 000005
【図３Ｄ】
2014512873.tif 000006
【図４Ａ】
2014512873.tif 000007
【図４Ｂ】
2014512873.tif 000008
【図４Ｃ】
2014512873.tif 000009
【図４Ｄ】
2014512873.tif 000010
【図５】
2014512873.tif 000011
【図６Ａ】
2014512873.tif 000012
【図６Ｂ】
2014512873.tif 000013
【図６Ｃ】
2014512873.tif 000014
【図６Ｄ】
2014512873.tif 000015
【図７Ａ】
2014512873.tif 000016
【図７Ｂ】
2014512873.tif 000017
【図７Ｃ】
2014512873.tif 000018
【図７Ｄ】
2014512873.tif 000019
【図８】
2014512873.tif 000020
【図９Ａ】
2014512873.tif 000021
【図９Ｂ】
2014512873.tif 000022
【図９Ｃ】
2014512873.tif 000023
【図９Ｄ】
2014512873.tif 000024
【図９Ｅ】
2014512873.tif 000025
【図９Ｆ】
2014512873.tif 000026
【図９Ｇ】
2014512873.tif 000027
【図１１Ａ】
2014512873.tif 000028
【図１１Ｂ】
2014512873.tif 000029
【図１１Ｃ】
2014512873.tif 000030
【図１１Ｄ】
2014512873.tif 000031
【図１１Ｅ】
2014512873.tif 000032
【図１１Ｆ】
2014512873.tif 000033
【図１１Ｇ】
2014512873.tif 000034
【図１１Ｈ】
2014512873.tif 000035
【図１２Ａ】
2014512873.tif 000036
【図１２Ｂ】
2014512873.tif 000037
【図１２Ｃ】
2014512873.tif 000038
【図１２Ｄ】
2014512873.tif 000039
【図１Ａ】
2014512873.tif 000040
【図１Ｂ】
2014512873.tif 000041
【図２Ａ】
2014512873.tif 000042
【図２Ｂ】
2014512873.tif 000043
【図１０Ａ】
2014512873.tif 000044
【図１０Ｂ】
2014512873.tif 000045
【国際調査報告】
2014512873.tif 000046
2014512873.tif 000047
2014512873.tif 000048
2014512873.tif 000049
2014512873.tif 000050